(57)【要約】【課題】効率を進めることと共に低階調の表現力を高めることができるプラズマ表示パネル及びその駆動装置とその駆動方法に関する。【解決手段】本発明に係るプラズマ表示パネルは、相互対向されて配置される前面基板及び背面基板と、前記前面基板上に透明電極及びバス電極を含むように形成される走査電極及び維持電極と、前記走査電極及び維持電極と交差する方向に背面基板上に形成されるアドレス電極と、前記前面基板及び背面基板との間の空間に配置されて複数の放電セルを形成する隔壁を含み、前記放電セルの面積(ＳＣ)対比前記透明電極の全体面積のうち可視光線の透過可能な前記透明電極の純粋面積(ＳＴ)比は、０．５１≦ＳＴ/ＳＣ≦０．８３を満足することを特徴とする。【選択図】図４
2008130541.tif 000002
【特許請求の範囲】
【請求項１】
相互対向するように配置された前面基板及び背面基板と、
前記前面基板上に透明電極及びバス電極を含むように形成される走査電極及び維持電極と、
前記走査電極及び前記維持電極と交差する方向に前記背面基板上に形成されるアドレス電極と、
前記前面及び背面基板の間の空間に配置されて、複数の放電セルを形成する隔壁を含み、
前記放電セルの面積(ＳＣ)対比前記透明電極の全体面積のうち可視光線の透過可能な前記透明電極の純粋面積(ＳＴ)比は、下記の数学式を満足することを特徴とするプラズマ表示パネルの駆動方法。
【数１】
2008130541.tif 000005
【請求項２】
前記透明電極の純粋面積は、前記透明電極の全体面積のうち前記バス電極と重ならない面積であることを特徴とする請求項１に記載のプラズマ表示パネル。
【請求項３】
前記隔壁は、前記アドレス電極と並んで配置される縦隔壁と、
前記縦隔壁と直交する方向に配置され、前記アドレス電極の伸長方向に隣接する放電セルの間に空間を置いて非放電セルを形成する横隔壁とを含むことを特徴とする請求項１に記載のプラズマ表示パネル。
【請求項４】
前記透明電極は、３００〜１０００ｎｍの厚さを有するように形成されることを特徴とする請求項１に記載のプラズマ表示パネル。
【請求項５】
前記透明電極は、ＩＴＯ(Ｉｎｄｉｕｍ-ｄｏｐｅｄ Ｔｉｎ Ｏｘｉｄｅ)または ＡＴＯ(Ａｎｔｉｍｏｎｙ-ｄｏｐｅｄ Ｔｉｎ Ｏｘｉｄｅ)に形成されることを特徴とする請求項１に記載のプラズマ表示パネル。
【請求項６】
前記隔壁は、ＰｂＯ、Ｂ２Ｏ３、ＳｉＯ２、Ａｌ２Ｏ３などを含む化合物に形成されることを特徴とする請求項３に記載のプラズマ表示パネル。
【請求項７】
前記隔壁には、Ｋ２Ｏ、ＢａＯ、ＺｎＯなどが添加されることを特徴とする請求項６に記載のプラズマ表示パネル。
【請求項８】
前記放電セル内部には、Ｎｅ−Ｘｅ、Ｈｅ−Ｘｅ、Ｈｅ-Ｎｅ-Ｘｅなどの混合ガスが注入され、放電ガスの圧力は、３６０〜５００Ｔｏｒｒであることを特徴とする請求項１に記載のプラズマ表示パネル。
【請求項９】
前記バス電極は、６０〜８０μｍ線幅と３〜７μｍの厚さのＡｇを主成分にする無機化合物に形成されることを特徴とする請求項１に記載のプラズマ表示パネル。
【請求項１０】
前記放電セルのピッチは、６５０μｍ未満であることを特徴とする請求項１に記載のプラズマ表示パネル。
【請求項１１】
相互対向されるように配置された前面基板及び背面基板と、
前記前面基板上に透明電極及びバス電極とを含むように形成された走査電極及び維持電極と、
前記走査電極及び前記維持電極と交差する方向に前記背面基板上に形成されたアドレス電極と、
前記前面基板及び前記背面基板との間の空間に配置されて複数の放電セルを形成する隔壁を含むプラズマ表示パネルの駆動装置において；
前記走査電極を駆動する走査駆動部と、
前記維持電極を駆動する維持駆動部と、
前記アドレス電極を駆動するアドレス駆動部を含み、
前記放電セルの面積(ＳＣ)対比前記透明電極の全体面積のうち可視光線の透過可能な前記透明電極の純粋面積(ＳＴ)比は、下記の数学式を満足することを特徴とするプラズマ表示パネルの駆動方法。
【数２】
2008130541.tif 000006
【請求項１２】
前記透明電極の純粋面積は、前記透明電極の全体面積のうち前記バス電極と重ならない面積であることを特徴とする請求項１１に記載のプラズマ表示パネルの駆動装置。
【請求項１３】
前記隔壁は、
前記アドレス電極と並んで配置された縦隔壁と、
前記縦隔壁と直交する方向に配置され、前記アドレス電極の伸長方向に隣接する放電セルの間に空間を置いて非放電セルを形成する横隔壁とを含むことを特徴とする請求項１１に記載のプラズマ表示パネルの駆動装置。
【請求項１４】
前記放電セルのピッチは、６５０μｍ未満であることを特徴とする請求項１１に記載のプラズマ表示パネルの駆動装置。
【請求項１５】
相互対向されるように配置される前面基板及び背面基板と、
前記前面基板上に透明電極及びバス電極とを含むように形成される走査電極及び維持電極と、
前記走査電極及び前記維持電極と交差する方向に前記背面基板上に形成されるアドレス電極と、
前記前面基板及び前記背面基板との間の空間に配置されて複数の放電セルを形成する隔壁を含むプラズマ表示パネルを複数のサブフィールドに分けて駆動する駆動方法において；
前記複数のサブフィールドのうち第ｉ(ここで、ｉは自然数)サブフィールドのリセット期間に前記複数の放電セルを初期化する段階と、
前記第ｉサブフィールドのアドレス期間に前記複数の放電セルの中で発光セルを選択する段階と、
前記第ｉサブフィールドの維持期間に前記発光セルを維持放電させる段階とを含み、
前記放電セルの面積(ＳＣ)対比前記透明電極の全体面積のうち可視光線の透過可能な前記透明電極の純粋面積(ＳＴ)比は、下記の数学式を満足することを特徴とするプラズマ表示パネルの駆動方法。
【数３】
2008130541.tif 000007
【請求項１６】
前記第ｉサブフィールドにおいて、前記複数の放電セルを初期化する段階は、前記走査電極に第１電圧から第２電圧まで次第に上昇する上昇パルスが印加される段階と、
前記走査電極に第３電圧から第４電圧まで次第に下降する下降パルスが印加される段階とを含むことを特徴とする請求項１５に記載のプラズマ表示パネルの駆動方法。
【請求項１７】
前記第ｉサブフィールドの次のサブフィールドである第ｉ+１サブフィールドのリセット期間に、前記第１電圧より低い第５電圧から前記第２電圧より低い第６ 電圧まで次第に上昇する上昇パルスを前記走査電極に印加した後、前記第３電圧から第４電圧まで次第に下降する下降パルスを前記走査電極に印加する段階とをさらに含むことを特徴とする請求項１６に記載のプラズマ表示パネルの駆動方法。
【請求項１８】
前記第ｉ+１サブフィールドの次のサブフィールドである第ｉ+２サブフィールドのリセット期間に、前記第３電圧から第４電圧まで次第に下降する下降パルスを前記走査電極に印加する段階をさらに含むことを特徴とする請求項１７に記載のプラズマ表示パネルの駆動方法。
【請求項１９】
前記第ｉサブフィールドの下降パルスは、前記第ｉ+１サブフィールドの下降パルスより幅が広く、前記第ｉ+１サブフィールドの下降パルスは、前記第ｉ+２サブフィールドの下降パルスより幅が広いことを特徴とする請求項１８に記載のプラズマ表示パネルの駆動方法。
【請求項２０】
前記下降パルスが印加される前記リセット期間に、前記維持電極を第７電圧で維持させる段階と、
前記アドレス期間に、前記維持電極を前記第７電圧より高い前記第８電圧で維持させる段階とをさらに含むことを特徴とする請求項１８に記載のプラズマ表示パネルの駆動方法。
【発明の詳細な説明】
【技術分野】
【０００１】
本発明は、プラズマ表示装置及びその駆動方法に関し、より詳しくは、特に効率を向上させることと共に低階調表現力を高めることができるプラズマ表示パネル及びその駆動装置とその駆動方法に関する。
【背景技術】
【０００２】
プラズマ表示装置は、気体放電によって生成されたプラズマを利用して文字または映像を表示する表示装置である。このために、プラズマ表示装置は、画像を具現するプラズマ表示パネルと、プラズマ表示パネルを駆動するための複数の駆動回路部とを含む。
【０００３】
プラズマディスプレイパネルは、同一面上に位置する走査電極及び維持電極とを含む前面パネルと、これに一定距離を有して離隔されて垂直方向に連結されるアドレス電極とを含む背面基板に形成され、その間に放電ガスを封入している。このようなプラズマ表示パネルは、複数の電極を介して電源が印加されれば、放電により発生された真空紫外線が蛍光体を励起させる過程から発生する可視光線を利用して所望の画像を表示する。
【０００４】
最近、映像メディアの高解像度化によって超高精細、即ち、放電セルピッチが６５０μｍ未満であるプラズマ表示パネルが要求されている。このような超高精細パネルは、低解像度パネルに比べて消費電力に対比輝度比である効率が約２０％程度低い。特に、走査電極及び維持電極に含まれたバス電極が放電セルの可視光線放出領域に位置すれば、有効光が減少されることと共に消費電力が増加するようになるので、効率はさらに低くなる。また、バス電極と連結された透明電極が必要以上に大きく形成されば、消費電力が大きく増加されることと共に単位光も増加されて低階調の表現力が低下される問題点がある。
【発明の開示】
【発明が解決しようとする課題】
【０００５】
本発明は、前記のような問題点を解決するためになされたものであって、その目的は、効率を向上させることと共に低階調の表現力を高めることができるプラズマ表示パネル及びその駆動装置とその駆動方法を提供することである。
【課題を解決するための手段】
【０００６】
上述の目的を達成するための本発明に係るプラズマ表示パネルは、相互対向されて配置された前面基板及び背面基板と、前記前面基板上に透明電極及びバス電極とを含むように形成される走査電極及び維持電極と、前記走査電極及び維持電極と交差する方向に背面基板上に形成されるアドレス電極と、前記前面基板及び背面基板との間の空間に配置されて複数の放電セルを形成する隔壁とを含み、前記放電セルの面積(ＳＣ)対比前記透明電極の全体面積のうち可視光線の透過可能な前記透明電極の純粋面積(ＳＴ)比は、０．５１≦ＳＴ/ＳＣ≦０．８３を満足することを特徴とする。
【０００７】
ここで、前記透明電極の純粋面積は、前記透明電極の全体面積のうち前記バス電極と重ならない面積であることを特徴とする。
【０００８】
また、前記隔壁は、前記アドレス電極と並んで配置される縦隔壁と、前記縦隔壁と直交する方向に配置されて前記アドレス電極の伸長方向に隣接する放電セルの間に空間を有して非放電セルを形成する横隔壁とを含むことを特徴とする。
【０００９】
一方、前記透明電極は、３００〜１０００ｎｍの厚さであるように形成されることを特徴とする。
【００１０】
このような、前記透明電極は、ＩＴＯ(Ｉｎｄｉｕｍ-ｄｏｐｅｄ Ｔｉｎ Ｏｘｉｄｅ)またはＡＴＯ(Ａｎｔｉｍｏｎｙ-ｄｏｐｅｄ Ｔｉｎ Ｏｘｉｄｅ)に形成されることを特徴とする。
【００１１】
一方、前記隔壁は、ＰｂＯ、Ｂ２Ｏ３、ＳｉＯ２、Ａｌ２Ｏ３などを含む化合物に形成されることを特徴とする。
【００１２】
また、前記隔壁には、Ｋ２Ｏ、ＢａＯ、ＺｎＯなどが添加されることを特徴とする。
【００１３】
一方、前記放電セル内部には、Ｎｅ−Ｘｅ、Ｈｅ−Ｘｅ、Ｈｅ-Ｎｅ-Ｘｅなどの混合ガスが注入され、放電ガスの圧力は、３６０〜５００Ｔｏｒｒであることを特徴とする。
【００１４】
また、前記バス電極は、６０〜８０μｍ線幅と３〜７μｍの厚さのＡｇを主成分にする無機化合物に形成されることを特徴とする。
【００１５】
また、前記放電セルのピッチは、６５０μｍ未満であることを特徴とする。
【００１６】
また、上述の目的を達成するための本発明は、相互対向されるように配置される前面基板及び背面基板と、前記前面基板上に透明電極及びバス電極とを含むように形成される走査電極及び維持電極と、前記走査電極及び維持電極と交差する方向に背面基板上に形成されるアドレス電極と、前記前面基板及び背面基板との間の空間に配置されて複数の放電セルを形成する隔壁とを含む本発明に係るプラズマ表示パネルの駆動装置は、前記走査電極を駆動する走査駆動部と、前記維持電極を駆動する維持駆動部と、前記アドレス電極を駆動するアドレス駆動部とを含み、前記放電セルの面積(ＳＣ)対比前記透明電極の全体面積のうち可視光線の透過可能な前記透明電極の純粋面積(ＳＴ)比は、０．５１≦ＳＴ/ＳＣ≦０．８３を満足することを特徴とする。
【００１７】
また、上述の目的を達成するための本発明は、相互対向されるように配置される前面基板及び背面基板と、前記前面基板上に透明電極及びバス電極とを含むように形成される走査電極及び維持電極と、前記走査電極及び維持電極と交差する方向に背面基板上に形成されるアドレス電極と、前記前面及び背面基板との間の空間に配置されて複数の放電セルを形成する隔壁とを含む本発明に係るプラズマ表示パネルを複数のサブフィールドに分けて駆動する駆動方法は、前記複数のサブフィールドのうち第ｉ(ここで、ｉは自然数)サブフィールドのリセット期間に前記複数の放電セルを初期化する段階と、前記第ｉサブフィールドのアドレス期間に前記複数の放電セルの中で発光セルを選択する段階と、前記第ｉサブフィールドの維持期間に前記発光セルを維持放電させる段階とを含み、前記放電セルの面積(ＳＣ)対比前記透明電極の全体面積のうち可視光線の透過可能な前記透明電極の純粋面積(ＳＴ)比は、０．５１≦ＳＴ/ＳＣ≦０．８３を満足することを特徴とする。
【発明の効果】
【００１８】
本発明に係るプラズマ表示パネル及びその駆動装置とその駆動方法は、超高精細、即ち、放電セルピッチが６５０μｍ未満であるパネルで放電セルの面積対比透明電極の純粋面積比が数学式１を満足して、二重隔壁の構造を使用する場合、光効率が向上されると共に単位光が低くなって低階調の表現力が向上される。
【発明を実施するための最良の形態】
【００１９】
以下、本発明の好ましい実施形態を図１乃至図９を参照して詳しく説明する。
【００２０】
図１は、本発明に係るプラズマ表示パネルを示した斜視図である。
【００２１】
図１に示されたプラズマ表示パネル１００は、前面パネル１１０と背面パネル１２０とを備える。
【００２２】
前面パネル１１０は、前面基板１１１上に順次に形成される走査電極１１２及び維持電極１１４と、第１誘電体層１１６及び保護層１１８とを含む。
【００２３】
走査電極１１２及び維持電極１１４は、透明電極１１２ｂ、１１４ｂとバス電極１１２ａ、１１４ａからなる。
【００２４】
透明電極１１２ｂ、１１４ｂは、前面基板１１１を横切ってプラズマ表示パネル１００の横方向に形成される。このような透明電極１１２ｂ、１１４ｂでは、可視光線が透過できるようにＩＴＯ(Ｉｎｄｉｕｍ-ｄｏｐｅｄ Ｔｉｎ Ｏｘｉｄｅ)またはＡＴＯ(Ａｎｔｉｍｏｎｙ-ｄｏｐｅｄ Ｔｉｎ Ｏｘｉｄｅ)のような透明な導電性材料が利用される。透明電極１１２ｂ、１１４ｂは、３００〜１０００ｎｍの厚さ、例えば、約７００ｎｍであるように形成され、このような透明電極１１２ｂ、１１４ｂの厚さは、パネルの構造及び駆動条件によって変更可能である。
【００２５】
バス電極１１２ａ、１１４ａは、透明電極１１２ｂ、１１４ｂ上に透明電極１１２ｂ、１１４ｂと並んで形成されて透明電極１１２ｂ、１１４ｂと電気的に接続される。このような、バス電極１１２ａ、１１４ａは、透明電極１１２ｂ、１１４ｂの低い電気伝導性を補完するように電気伝導性の良い導電性物質に形成される。例えば、バス電極１１２ａ、１１４ａは、Ｃｒ-Ｃｕ-Ｃｒまたは６０〜８０μｍ線幅と３〜７μｍの厚さのＡｇを主成分にする無機化合物に形成される。一方、バス電極１１２ａ、１１４ａは、外部光の反射を防ぐために黒色化することもできる。
【００２６】
第１誘電体層１１６は、前面基板１１１に走査電極１１２及び維持電極１１４を埋め立てるように形成される。第１誘電体層１１６は、放電の時、走査電極１１２及び維持電極１１４との間に直接通電されることを防止することと共に正(+)イオンまたは負(-)イオンが走査電極１１２及び維持電極１１４と直接衝突して走査電極１１２及び維持電極１１４が損傷されることを防止する。また、第１誘電体層１１６は、電荷を誘導して壁電荷を蓄積する。このような第１誘電体層１１６では、ＰｂＯ、Ｂ２Ｏ３、ＳｉＯ２などが利用される。
【００２７】
保護層１１８は、第１誘電体層１１６上に形成される。この保護層１１８は、放電の時、２次電子の放出を増加させて放電を容易にする。また、保護層１１８は、第１誘電体層１１６の表面を保護することで、走査電極１１２及び維持電極１１４の寿命が低下されることを防止する。保護層１１８は、高透過性、耐スポトリング(ｓｐｕｔｔｅｒｉｎｇ)性、低放電電圧、広メモリーマージン及び駆動電圧安全性などが要求される材料で作ることがよい。例えば、保護層１１８は、酸化マグネシウム(ＭｇＯ)が用いられる。
【００２８】
背面パネル１２０は、背面基板１２１上に順次に形成されるアドレス電極１２２と、第２誘電体層１２４と、隔壁１２８と、蛍光体層１２６とを含む。
【００２９】
アドレス電極１２２は、背面基板１２１に走査電極１１２及び維持電極１１４と交差する方向に形成される。
【００３０】
第２誘電体層１２４は、アドレス電極１２２を埋立てるように背面基板１２１上に形成される。第２誘電体層１２４は、放電の時、正(+)イオンまたは負(-)イオンがアドレス電極１２２に衝突してアドレス電極１２２を損傷させることを防止する。また、第２誘電体層１２４は、電荷を誘導して壁電荷を蓄積する。このような第２誘電体層１２４では、ＰｂＯ、Ｂ２Ｏ３、ＳｉＯ２などが利用される。
【００３１】
隔壁１２８は、第２誘電体層１２４上に放電空間を区切って放電セルを形成する。隔壁１２８は、前面パネル１００と背面パネル２００との間隔を維持させ、放電セル間のクロストーク(ｃｒｏｓｓ-ｔａｌｋ)を防止する。このような、隔壁１２８では、ＰｂＯ、Ｂ２Ｏ３、ＳｉＯ２、Ａｌ２Ｏ３などに形成され、Ｋ２Ｏ、ＢａＯ、ＺｎＯなどは添加剤として利用されることができる。
【００３２】
隔壁１２８は、横隔壁１２８ａと縦隔壁１２８ｂで構成されるマトリックス(ｍａｔｒｉｘ)タイプの隔壁が用いられることができる。しかし、本発明の保護範囲は、これに限定されなく、プラズマ表示パネルの縦方向に長く形成されたストライプ(ｓｔｒｉｐｅ)タイプの隔壁であることができ、六角形または八角形などの多角形構造や円形または楕円形状の断面を有する隔壁であることもできる。
【００３３】
赤色、緑色及び青色蛍光体層１２６Ｒ、１２６Ｇ、１２６Ｂは、放電セルを区切る隔壁１２８の側面と隔壁１２８との間の第２誘電体層１２４上に形成される。このような蛍光体層１２６は、放電によって発生された紫外線を吸収して可視光線を発生する。
【００３４】
一方、前面パネル１１０と背面パネル１２０を合着した後には、組立されるプラズマ表示パネル内部空間の空気を完全に排気した後、放電の効率を高めることができる適正な放電ガスを充填させる。放電ガスとしては、主にＮｅ−Ｘｅ、Ｈｅ−Ｘｅ、Ｈｅ−Ｎｅ−Ｘｅなどの混合ガスが用いられる。例えば、放電ガスの造成は、１１％のＸｅと、３５％のＨｅと、５４％のＮｅが利用される。また、放電ガスの圧力は、３６０〜５００Ｔｏｒｒであり、ガス圧力は、パネルの構造及び駆動条件によって変更可能である。
このような、本発明の第１実施形態に係るプラズマ表示パネルは、数学式１を満足するように形成される。
【００３５】
【数１】
2008130541.tif 000003
【００３６】
ここで、ＳＣは，隔壁１２８に囲まれた放電セルの上部開口面積を、ＳＥは、各放電セル内の透明電極１１２ｂ、１１４ｂの面積を、ＳＢは、各放電セル内のバス電極１１２ａ、１１４ａの面積を、ＳＴは、透明電極１１２ｂ、１１４ｂの全体面積のうちバス電極１１２ａ、１１４ａと重ならなく可視光線が透過できる透明電極１１２ｂ、１１４ｂの純粋面積を示す。
【００３７】
数学式１を満足するようになれば、図１に示されたプラズマ表示パネルに供給される電力(Ｗ)対比具現される輝度(Ｌ)の比である効率(Ｅｆｆｉｃｉｅｎｃｙ)は増加するようになる。具体的に、図２に示すように放電セルの面積(ＳＣ)対比透明電極１１２ｂ、１１４ｂの純粋面積(ＳＴ)比が０．５１未満である場合と０．８３を超過した場合、光効率は、０．１７５未満である。一方、放電セルの面積(ＳＣ)対比透明電極１１２ｂ、１１４ｂの純粋面積(ＳＴ)比が０．５１〜０．８３である場合、光効率は、０．１７５以上に相対的に高い。
【００３８】
一方、数学式１を満足するようになれば、図３に示すように放電セル面積(ＳＣ)対比透明電極の純粋面積(ＳＴ)比が０．５未満であるよりは、単位光が増加して低階調の画質具現が低下される。
【００３９】
図４は、本発明の第２実施形態に係るプラズマ表示パネルを示す平面図である。
【００４０】
図４に示されたプラズマ表示パネルは、図１に示されたプラズマ表示パネルと対比して隔壁１２８が二重隔壁構造であることを除いては同様な構成要素を有する。これによって、同様な構成要素に対する詳細な説明は省略する。
【００４１】
隔壁１２８は、お互いに交差する横隔壁１２８ａ及び縦隔壁１２８ｂとを含む。
【００４２】
縦隔壁１２８ｂは、アドレス電極１２２と並ぶ方向に形成されて左右に隣接する放電セル(Ｃ)との間に形成される。これによって、左右に隣接する放電セル(Ｃ)は縦隔壁１２８ｂを共有する。
【００４３】
横隔壁１２８ａは、バス電極１１２ａ、１１４ａと並ぶ方向にバス電極１１２ａ、１１４ａと重なるように形成される。このような、横隔壁１２８ａは、上下に隣接する放電セル(Ｃ)の上部と下部に実際には、放電が起さない非放電セル(ＮＣ)が存在するように形成される。ここで、非放電セル(ＮＣ)は、排気通路に利用されて排気効率を高める。このように、上下に隣接する放電セル(Ｃ)は、横隔壁１２８ａをお互いに共有しないので、二重隔壁構造をなす。
【００４４】
一方、図４に示されたプラズマ表示パネルは、左右に隣接する放電セルが縦隔壁(２８b)を共有することと共に上下に隣接する放電セル(Ｃ)が横隔壁(２８ａ)を共有する図５に示されたプラズマ表示パネルと対比して隔壁１２８で囲まれた放電セル(Ｃ)の面積を除いては各構成要素の長さ及び幅などが同様である。これによって、図４に示されたプラズマ表示パネルの放電セル(Ｃ)面積対比バス電極１１２ａ、１１４ａと重ならない透明電極１１２ｂ、１１４ｂの純粋面積比は、約５１％である一方、図５に示されたプラズマ表示パネルの放電セル(Ｃ)面積対比バス電極１２ａ、１４ａと重ならない透明電極１２ｂ、１４ｂの純粋面積比は、約３７％である。この場合、表１に示すように、輝度、色温度及び消費電力は、図４に示されたプラズマ表示パネルが図５に示されたプラズマ表示パネルと比べて優秀である。
【００４５】
【表１】
2008130541.tif 000004
【００４６】
また、数学式１を満足する場合、相対的に高くなる単位光は、図４に示されたプラズマ表示パネルのように二重隔壁構造を適用することで、数学式１を満足しない図５に示されたプラズマ表示パネルと対比して相対的に低くなる。これによって、数学式１を満足して二重隔壁を使用するプラズマ表示パネルは、光効率が向上させることと共に単位光が低くなって低階調の表現力が向上される。
【００４７】
一方、プラズマ表示パネルの透明電極１１２ｂ、１１４ｂは、図１に示すように板状と図４に示すように放電空間に四角形態で突出するように形成されることを例を挙げて説明した。しかし、本発明の保護範囲は、これに限定されなく、プラズマ表示パネルの透明電極１１２ｂ、１１４ｂは、図６ａに示すように放電空間にＴ字形態に突出するように形成されるとか、図６ｂに示すように放電空間に台形形態に突出するように形成されることもできる。
【００４８】
このような、本発明の第１及び第２実施形態に係るプラズマ表示パネルは、図７に示された駆動装置によって駆動される。
図７に示されたプラズマ表示パネルの駆動装置は、プラズマ表示パネル１００のアドレス電極(Ａ１乃至Ａｍ)にデータを供給するためのアドレス駆動部１０４と、走査電極(Ｙ１乃至Ｙｎ)を駆動するための走査駆動部１０２と、維持電極(Ｘ１乃至Ｘｎ)を駆動するための維持駆動部１０８と、各駆動部１０２、１０４、１０８を制御する制御部１０６とを備える。
【００４９】
制御部１０６は、垂直/水平同期信号を入力されて各駆動部１０２、１０４、１０８に必要なアドレス制御信号、走査制御信号及び維持制御信号を生成する。生成された制御信号は、該当の駆動部１０２、１０４、１０８に供給されることで、制御部１０６は、各駆動部１０２、１０４、１０８を制御するようになる。
【００５０】
また、制御部１０６は、一つのフレームを複数のサブフィールドで分割して駆動し、各サブフィールドは、時間的な動作変化で表現すれば、リセット期間、アドレス期間及び維持期間からなる。特に、制御部１０６は、一つのフレームの間に入力される映像信号から負荷率と、これに対応するＡＰＣ(Ａｕｔｏ  Ｐｏｗｅｒ  Ｃｏｎｔｒｏｌ)レベルを判断して一つのフレームに与えられる維持パルスの総個数を決定し、決定された維持パルスの総個数を複数のサブフィールドに分ける。この時、制御部１０６は、各サブフィールドに割り当てされた維持パルスの個数が該当のサブフィールドの加重値に比例するように維持パルスを複数のサブフィールドに割当することができる。
【００５１】
アドレス駆動部１０４は、制御部１０６からのアドレス制御信号に回答して表示しようとする放電セルを選択するためのデータ信号を各アドレス電極(Ａ)に供給する。
【００５２】
走査駆動部１０２は、制御部１０６から走査制御信号に回答して走査電極(Ｙ１乃至Ｙｎ)に駆動電圧を印加する。
【００５３】
維持駆動部１０８は、制御部１０６から維持制御信号に回答して維持電極(Ｘ１乃至Ｘｎ)に駆動電圧を印加する。
【００５４】
図８は、本発明に係るプラズマ表示装置の画像を表示する単位フレームを示した図面である。
【００５５】
図８に示すように画像を表示する単位フレームは、時分割階調表現のために８個のサブフィールド(ＳＦ１乃至ＳＦ８)に分けられる。各サブフィールドは、リセット期間(ＲＰ１〜ＲＰ８)、アドレス期間(ＡＰ１〜ＡＰ８)、維持期間(ＳＰ１〜ＳＰ８)に分割される。
【００５６】
プラズマディスプレイパネルの輝度は、単位フレームで占める維持期間(ＳＰ１〜ＳＰ８)の長さに比例する。単位フレームで占める維持期間(ＳＰ１〜ＳＰ８)の長さは、２５５Ｔ(Ｔは単位時間)である。この時、第ｎサブフィールド(ＳＦｎ)の維持期間(ＳＰｎ)には、２ｎに相応する時間がそれぞれ設定される。これによって、８個のサブフィールドの中から表示されるサブフィールドを適切に選択すれば、いずれかのサブフィールドでも表示されない０(零)階調を含んで全部２５６階調の表示が行えることができる。
【００５７】
一方、図面では、単位フレームを８個のサブフィールド(ＳＦ１〜ＳＦ８)で分け、各サブフィールドの階調加重値を第１サブフィールド(ＳＦ１)から第８サブフィールド(ＳＦ８)まで１Ｔ、２Ｔ、、、、１２８Ｔのように割当てしたが、これに限定されない。即ち、単位フレームのサブフィールド数は、８個より少なくまたは多いことがあり、サブフィールド別に階調加重値の割当ても設計仕様によって変更することができる。
【００５８】
図９は、本発明の実試形態に係るプラズマ表示装置の駆動波形のうち第１乃至第３サブフィールド(ＳＦ１〜ＳＦ３)に印加される駆動波形を示す図面である。
【００５９】
図９に示すように、第１サブフィールド(ＳＦ１)は、メインリセット期間(ＭＲＰ)、アドレス期間(ＡＰ)及び維持期間(ＳＰ)を含み、第２サブフィールド(ＳＦ２)及び第３サブフィールド(ＳＦ３)は、それぞれ補助リセット期間(ＳＲＰ)、アドレス期間(ＡＰ)及び維持期間(ＳＰ)とを含む。
【００６０】
ここで、第１サブフィールド(ＳＦ１)のメインリセット期間(ＭＲＰ)は、消去期間、上昇期間及び下降期間とを含む。
メインリセット期間(ＭＲＰ)の消去期間では、Ｘ電極にＶｓ電圧を印加する状態で、Ｙ電極の電圧を基準電圧(図９では０Ｖ)からＶｎｆ電圧まで漸進的に下降させる。第１サブフィールド(ＳＦ１)の以前サブフィールドから維持放電されたセルは、Ｘ電極とＹ電極にそれぞれ正(-)の壁電荷と負(+)の壁電荷が形成されているので、消去期間のような波形を印加する場合、壁電荷が消去される。これによって、第１サブフィールド(ＳＦ１)の以前サブフィールドから維持放電されたセルは、維持放電されないセルとほぼ類似の壁電荷状態になる。一方、図９では、第１サブフィールド(ＳＦ１)の消去期間に印加される消去波形として、Ｙ電極に漸進的に下降する波形を印加したが、その外に消去波形として、Ｙ電極を基準電圧(０Ｖ)にバイアスした状態でＸ電極の電圧を漸進的に上昇させる波形、短いパルスによって壁電荷を消去させる三幅のパルス波形などが代替されることもできる。
【００６１】
次に、メインリセット期間(ＭＲＰ)の上昇期間において、Ｘ電極に基準電圧(０Ｖ)を印加する状態で、Ｖｓ１電圧からＶｓｅt１電圧まで漸進的に上昇する上昇パルスをＹ電極に印加する。また、Ａ電極に基準電圧(０Ｖ)を印加する。また、Ｙ電極及びＸ電極との間と、Ｙ電極及びＡ電極との間で微弱な放電であるリセット放電が発生する。リセット放電が起しながら、Ｙ電極には、負(-)の壁電荷が形成され、Ｘ電極及びＡ電極には正(+)の壁電荷が形成される。また、Ｙ電極の電圧が図９のように漸進的に変わる場合には、セルに微弱な放電が起しながら、外部から印加された電圧とセルの壁電圧の合が放電開始電圧状態を維持するように壁電荷が形成される。一方、第１サブフィールド(ＳＦ１)のメインリセット期間(ＭＲＰ)では、以前サブフィールドで維持放電したセルでも、維持放電しないセルでも、初期化しなければならないので、Ｖｓｅｔ１電圧は、すべての条件の放電セルで放電が起こすことができる程度の高い電圧である。また、Ｖｓ１電圧は、走査電極(Ｙ)と維持電極(Ｘ)との間の放電開始電圧より低い電圧である。
【００６２】
また、メインリセット期間(ＭＲＰ)の下降期間では、Ｘ電極をＶe１電圧で維持する状態での基準電圧(０Ｖ)において、Ｖｎｆ電圧まで漸進的に下降する下降パルスをＹ電極に印加する。これによって、Ｙ電極の電圧が減少するうちにＹ電極及びＸ電極との間と、Ｙ電極及びＡとの間で弱放電が起こしながら、走査電極に形成された負(-)の壁電荷と、Ａ電極及びＸ電極に形成された正(+)の壁電荷は消去される。一般的に、(Ｖｎｆ-Ｖｅ１)電圧の大きさは、Ｙ電極及びＸ電極との間の放電開始電圧近くに設定される。これによって、Ｙ電極とＸ電極との間の壁電圧がほぼ０Ｖになり、アドレス期間(ＡＰ)でアドレス放電が起こさないセルが維持期間(ＳＰ)で誤放電されることを防止することができる。
【００６３】
第１サブフィールド(ＳＦ１)のアドレス期間(ＡＰ)においては、点火する放電セルを選択するためにＸ電極の電圧をＶｅ１電圧より高いＶｅ２電圧に維持する状態でＹ電極とＡ電極にそれぞれＶｓｃＬ電圧を有する走査パルス及びＶａ電圧を有するアドレスパルスを印加する。また、選択されないＹ電極は、ＶｓｃＬ電圧より高いＶｓｃＨ電圧にバイアスして、点火されないセルのＡ電極には、基準電圧を印加する。また、Ｖａ電圧が印加されたＡ電極とＶｓｃＬ電圧が印加されたＹ電極によって形成される放電セルからアドレス放電が起こす。この時、Ｙ電極とＸ電極との間の電圧差(ＶｓｃＬ-Ｖｅ２)が大きくなって安定的にアドレス放電を起こすことができるようになる。
【００６４】
アドレス期間(ＡＰ)でこのような動作を行うため、走査駆動部１０２は、Ｙ電極(Ｙ１〜Ｙｎ)のうちＶｓｃＬの注射パルスが印加されるＹ電極を選択して、例えば、シングル駆動から縦方向に配列された順にＹ電極を選択することができる。また、アドレス駆動部１０４は、一つのＹ電極が選択される時、該当のＹ電極によって形成されたセルをパスするＡ電極(Ａ１〜Ａｍ)のうちＶａ電圧のアドレスパルスが印加されるセルを選択する。具体的に、先に一番目行のＹ電極にＶｓｃＬ電圧の注射パルスを印加する同時に一番目行のうち点火するセルに位置するＡ 電極にＶａ電圧のアドレスパルスを印加する。よって、一番目行のＹ電極とＶａ 電圧が印加されたＡ電極との間で放電が起こし、Ｙ電極に(+)壁電荷、Ａ及びＸ 電極にそれぞれ(-)壁電荷が形成される。その結果、Ｙ電極とＸ電極との間にＹ 電極の電位がＸ電極の電位に対して高くように壁電圧(Ｖｗｘｙ)が形成される。 続いて、二番目行のＹ電極にＶｓｃＬ電圧の注射パルスを印加しながら二番目行の中で表示しようとするセルに位置するＡ電極にＶａ電圧のアドレスパルスを印加する。よって、上述したようにＶａ電圧が印加されたＡ電極と二番目行のＹ電極によって形成されるセルでアドレス放電が起こしてセルに壁電荷が形成される。 また、残りの行のＹ電極に対しても順次にＶｓｃＬ電圧の注射パルスを印加しながら、点火するセルに位置するＡ電極にＶａ電圧のアドレスパルスを印加して壁電荷を形成する。
【００６５】
第１サブフィールド(ＳＦ１)の維持期間(ＳＰ)では、Ｙ電極とＸ電極に交代でＶｓ電圧の維持パルスを印加する。このような維持パルスによって、第１サブフィールド(ＳＦ１)のアドレス期間(ＡＰ)で発光セル状態に設定されたセルに維持放電が発生する。ここで、維持パルスの個数は、第１サブフィールド(ＳＦ１)の加重値に当たるように適切に選択される。
【００６６】
次に、第２サブフィールド(ＳＦ２)及び第３サブフィールド(ＳＦ３)に印加される駆動波形は、リセット期間に印加される駆動波形が異なることを除いて、残りは、第１サブフィールド(ＳＦ１)に印加される駆動波形と同様であるので、以下重複される説明は省略する。
【００６７】
図９に示すように、第２サブフィールド(ＳＦ２)及び第３サブフィールド(ＳＦ３)とのリセット期間は、補助リセット期間(ＳＲＰ)である。
【００６８】
第２サブフィールド(ＳＦ２)の補助リセット期間(ＳＲＰ)では、Ｖｓ１電圧より低いＶｓ２からＶｓｅｔ１電圧より低いＶｓｅｔ２電圧まで漸進的に上昇する上昇パルスをＹ電極に印加した後、基準電圧からＶｎｆ電圧まで漸進的に下降する下降パルスをＹ電極に印加して、それぞれ以前サブフィールドで維持放電したセルのみをリセット放電させる。この時、第２サブフィールド(ＳＦ２)の補助リセット期間(ＳＲＰ)に供給された上昇パルス及び下降パルスは、第１サブフィールド(ＳＦ１)のメインリセット期間(ＭＲＰ)に供給された上昇パルス及び下降パルスより幅が狭い。
【００６９】
したがって、第２サブフィールド(ＳＦ２)の補助リセット期間(ＳＲＰ)で、複数の放電セルのうち第１サブフィールド(ＳＦ１)で維持放電したセルは、リセット放電が発生して初期化される。また、第１サブフィールド(ＳＦ１)で維持放電しないセルは、第１サブフィールド(ＳＦ１)のメインリセット期間(ＭＲＰ)終了の後の壁電荷状態を維持しているので、非発光セル状態に初期化される。
【００７０】
また、第３サブフィールド(ＳＦ３)の補助リセット期間(ＳＲＰ)では、Ｙ電極の電圧を漸進的に上昇させず、すぐ基準電圧(０Ｖ)からＶｎｆ電圧まで漸進的に下降させ、それぞれ以前サブフィールドから維持放電セルのみをリセット放電させる。この時、第３サブフィールド(ＳＦ３)の補助リセット期間(ＳＲＰ)に供給された下降パルスは、第２サブフィールド(ＳＦ２)のリセット期間(ＳＲＰ)に供給された下降パルスより幅が狭い。
【００７１】
したがって、第３サブフィールド(ＳＦ３)の補助リセット期間(ＳＲＰ)において、複数の放電セルのうち第２サブフィールド(ＳＦ２)から維持放電されたセルは、リセット放電が発生して初期化される。また、第２サブフィールド(ＳＦ２)から維持放電されないセルは、第２サブフィールド(ＳＦ２)の補助リセット期間(ＳＲＰ)終了の後の壁電荷状態を維持しているので、非発光セル状態に初期化される。
【００７２】
一方、第２及び第３サブフィールド(ＳＦ２、ＳＦ３)のアドレス期間(ＡＰ)の動作は、第１サブフィールド(ＳＦ１)のアドレス期間(ＡＰ)と同様であるので、具体的な説明は省略する。また、第２サブフィールド(ＳＦ２)及び第３サブフィールド(ＳＦ３)それぞれの維持期間(ＳＰ)は、該当のサブフィールドの加重値に当たるように適切に維持放電パルス個数が設定される。
【００７３】
以上、本発明は、上述した特定の好適な実施形態に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【００７４】
【図１】本発明の第１実施形態に係るプラズマ表示パネルを示す斜視図である。
【図２】図１に示されたプラズマ表示パネルの放電セル面積対比透明電極の純粋面積比に係る効率を示す図面である。
【図３】図１に示されたプラズマ表示パネルの放電セル面積対比透明電極の純粋面積比に係る単位光を示す図面である。
【図４】本発明の第２実施形態に係るプラズマ表示パネルを示す平面図である。
【図５】図４に示されたプラズマ表示パネルと対比される従来プラズマ表示パネルを示す平面図である。
【図６ａ】本発明の第１実施形態に係るプラズマ表示パネルに示された透明電極の様々な実施形態を示す平面図である。
【図６ｂ】本発明の第２実施形態に係るプラズマ表示パネルに示された透明電極の様々な実施形態を示す平面図である。
【図７】本発明の第１及び第２実施形態に係るプラズマ表示パネルを駆動する駆動装置を示すブロック図である。
【図８】本発明の第１及び第２実施形態に係るサブフィールド配列を示す図面である。
【図９】本発明の第１及び第２実施形態に係るプラズマ表示装置の駆動波形を示す図面である。
【符号の説明】
【００７５】
１００…プラズマ表示パネル
１０２…走査駆動部
１０４…アドレス駆動部
１０６…制御部
１０８…維持駆動部
１１０…前面パネル
１１１、１２１…基板
１１２…走査電極
１１４…維持電極
１１６、１２４…誘電体層
１１８…保護層
１２０…背面パネル
１２２…アドレス電極
１２６…蛍光体層
１２８…隔壁
【図１】
2008130541.tif 000008
【図２】
2008130541.tif 000009
【図３】
2008130541.tif 000010
【図４】
2008130541.tif 000011
【図５】
2008130541.tif 000012
【図６ａ】
2008130541.tif 000013
【図６ｂ】
2008130541.tif 000014
【図７】
2008130541.tif 000015
【図８】
2008130541.tif 000016
【図９】
2008130541.tif 000017